(57)【特許請求の範囲】
【請求項１】
ユーザの操作によって実行された機能と、当該ユーザの操作によってその次に実行された機能とを対応付ける関連機能対応付け部と、
前記関連機能対応付け部によって対応付けられた、前記実行された機能と前記次に実行された機能の組み合わせに対して、新しく実行された前記組み合わせほど大きい重み付け値を付与する重み付け設定部と、
ユーザによって新たにある機能が選択された場合に、当該実行された機能に対応付けられている次に実行された機能のうち、前記重み付け設定部により設定された重み付け値が大きいものを優先的に表示させる次機能予測部と、を有し、
前記重み付け設定部は、
前記関連機能対応付け部によって対応付けられた前記組み合わせに対し、新しく実行された前記組み合わせほど大きい関連付け番号を付与する関連付け番号付与部と、
所定の期間内に実行された、前記実行された機能と前記次に実行された機能との前記組み合わせに付与された関連付け番号を足し合わせて前記重み付け値を算出する重み付け値算出部と、を有し、
前記関連機能対応付け部は、前記実行された機能の処理が完了してから所定の時間を超えても前記ユーザによって新たな機能が選択されない場合には、前記実行された機能と、一連の機能が終了したことを示す情報とを対応付けて前記組み合わせとする
移動通信端末。
【請求項２】
前記次機能予測部は、前記重み付け設定部により設定された重み付け値が大きいものを、ポップアップウィンドウを用いて表示する、請求項１記載の移動通信端末。
【請求項３】
ユーザの操作によって実行された機能と、当該ユーザの操作によってその次に実行された機能とを対応付ける第１ステップと、
対応付けられた前記実行された機能と前記次に実行された機能の組み合わせに対して、新しく実行された前記組み合わせほど大きい重み付け値を付与する第２ステップと、
前記ユーザによって新たにある機能が選択された場合に、当該実行された機能に対応付けられている次に実行された機能のうち、前記重み付け値が大きいものを優先的に表示させる第３ステップとを有し、
前記第２ステップでは、前記実行された機能の処理が完了してから所定の時間を超えても前記ユーザによって新たな機能が選択されない場合には、前記実行された機能と、一連の機能が終了したことを示す情報とを対応付けた組み合わせとし、
前記第３ステップでは、対応付けられた前記組み合わせに対し、最近実行された前記組み合わせほど大きい関連付け番号を付与し、所定の期間内に実行された同じ前記組み合わせに付与された関連付け番号を足し合わせて前記重み付け値を算出する、
移動通信端末のメニュー表示方法。
【請求項４】
前記第３ステップでは、前記重み付け値が大きいものを、ポップアップウィンドウを用いて表示する、請求項３記載の移動通信端末のメニュー表示方法。
【発明の詳細な説明】
【技術分野】
【０００１】
本発明は、移動通信端末に備えられた複数の機能から、ユーザが実行したい機能を選択するためのメニューが表示される移動通信端末、及び移動通信端末のメニューの表示方法に関する。
【背景技術】
【０００２】
近年では、携帯電話等の移動通信端末においては、更なる利便性が求められ、搭載される機能が多種多様になる傾向にある。しかしながら、このような移動通信端末の表示画面はそれほど大きくなく、多数の機能を選択するための項目を一覧で表示画面に表示させることは困難である。そのため、従来から、選択する項目を階層化し、上位の項目から下位の項目へ順に表示させることが知られている。ユーザは、階層化されたメニューに従って所望の項目を辿っていくことで、多数の項目の中から所望の項目を選択し、移動通信端末に実行させることができる。一方、このように搭載される機能が多様化するのに対し、ユーザが搭載されている機能を満遍なく使用することは少なく、ユーザ毎に実行頻度の高い機能はある程度特定することができる。そのため、従来より、複数の項目の中からユーザ毎に使用頻度の高い項目を優先的に表示させるように構成された移動通信端末が知られている。
【０００３】
特許文献１には、階層化されたメニュー毎に、表示される各項目が選択される頻度を管理することが開示されている。そして、管理された頻度に基づいて各項目に優先順位を与え、優先順位の高いものから順に表示画面に表示させる。これにより、ユーザが普段良く使用する機能を、次に選択されると予測される機能（以下、関連機能とも称する。）として優先的にメニューに表示させることができる。また、特許文献２では、ユーザによって選択された一連の項目を記憶することが開示されている。具体的には、はじめに選択された機能とその次に選択された機能を順次記憶していく。そして、一連の項目が選択された頻度を所定の基準に照らし、過去に高い頻度で選択されている項目を優先的に表示部に表示させる。これにより、ユーザ、ははじめのメニュー画面からそれぞれの階層における項目を選択していかなくても、優先的に表示された一連の項目を選択していくことで、容易に所望の項目まで辿りつくこができる。また、このような移動通信端末やメニューの表示方法に関しては、特許文献３や特許文献４などにも開示されている。
【特許文献１】特開２００４−１０２６０９号公報
【特許文献２】特開２００５−２２９３１０号公報
【特許文献３】特開２００６−３９６１５号公報
【特許文献４】特開平６−１５２４９７号公報
【発明の開示】
【発明が解決しようとする課題】
【０００４】
しかしながら、特許文献１乃至４に開示された移動通信端末においては、所定の期間内において、単にユーザによって選択された回数に応じて頻度の高い項目を優先的に表示するのみである。そのため、従来の移動通信端末では、必ずしもユーザの最新の使い勝手に即した関連機能が表示されるわけではない。例えば、過去に多く使っていた関連機能であっても、最近ではその関連機能使っていない場合にあっては、ユーザにとって必要のない関連機能が優先的に表示されることになる。このように、従来の移動通信端末においては、必ずしもユーザにとって選択したい項目が優先的に表示されるとは限らず、使い勝手が悪いといった問題がある。
【課題を解決するための手段】
【０００５】
本発明に係る移動通信端末の一態様は、ユーザの操作によって実行された機能と、当該ユーザの操作によってその次に実行された機能とを対応付ける関連機能対応付け部と、前記関連機能対応付け部によって対応付けられた、前記実行された機能と前記次に実行された機能の組み合わせに対して、新しく実行された前記組み合わせほど大きい重み付け値を付与する重み付け設定部と、ユーザによって新たにある機能が選択された場合に、当該実行された機能に対応付けられている次に実行された機能のうち、前記重み付け設定部により設定された重み付け値が大きいものを優先的に表示させる次機能予測部と、を有し、前記重み付け設定部は、前記関連機能対応付け部によって対応付けられた前記組み合わせに対し、新しく実行された前記組み合わせほど大きい関連付け番号を付与する関連付け番号付与部と、所定の期間内に実行された、前記実行された機能と前記次に実行された機能との前記組み合わせに付与された関連付け番号を足し合わせて前記重み付け値を算出する重み付け値算出部と、を有し、前記関連機能対応付け部は、前記実行された機能の処理が完了してから所定の時間を超えても前記ユーザによって新たな機能が選択されない場合には、前記実行された機能と、一連の機能が終了したことを示す情報とを対応付けて前記組み合わせとすることを特徴とする。
【０００６】
また、本発明に係る移動通信端末のメニュー表示方法の一態様は、ユーザの操作によって実行された機能と、当該ユーザの操作によってその次に実行された機能とを対応付ける第１ステップと、対応付けられた前記実行された機能と前記次に実行された機能の組み合わせに対して、新しく実行された前記組み合わせほど大きい重み付け値を付与する第２ステップと、前記ユーザによって新たにある機能が選択された場合に、当該実行された機能に対応付けられている次に実行された機能のうち、前記重み付け値が大きいものを優先的に表示させる第３ステップとを有し、前記第２ステップでは、前記実行された機能の処理が完了してから所定の時間を超えても前記ユーザによって新たな機能が選択されない場合には、前記実行された機能と、一連の機能が終了したことを示す情報とを対応付けた組み合わせとし、前記第３ステップでは、対応付けられた前記組み合わせに対し、最近実行された前記組み合わせほど大きい関連付け番号を付与し、所定の期間内に実行された同じ前記組み合わせに付与された関連付け番号を足し合わせて前記重み付け値を算出する。
【発明の効果】
【０００７】
本発明に係る移動通信端末によれば、ユーザにとって使い勝手のよいメニューを表示させることができる。
【発明を実施するための最良の形態】
【０００８】
以下、添付した図面を参照して本発明に係る実施の形態について説明する。
［実施形態］
図１は、本発明の実施形態に係る移動通信端末の全体構成例を示す図である。図１に示すように、移動通信端末１は、表示部２、キー入力部３、無線部４、電源部５、及び制御部６を備えている。制御部６は、更に、ＣＰＵ７及びメモリ８を備えている。移動通信端末１は、例えば、携帯電話機、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄａｔａ  Ａｓｓｉｓｔａｎｃｅ）といったものである。ここでは、移動通信端末１として、携帯電話機を例にして説明を行うものとする。
【０００９】
表示部２は、文字や記号などが表示され、ユーザに視覚的な情報を与えるよう構成されている。例えば、表示部２は、ＬＣＤ（Ｌｉｑｕｉｄ  Ｃｒｙｓｔａｌ  Ｄｉｓｐｌａｙ）によって構成される。表示部２は、ユーザが移動通信端末１にキー入力部３を用いて入力した文字、数字及び記号等を表示する。また、表示部２は、ユーザに対して、移動通信端末１に搭載された機能を選択するための項目を表示するよう構成されている。ここで、機能とは、例えば、カメラ機能や、メール作成機能、着信音選択機能、着信音量調整機能といった移動通信端末１に予め搭載されている機能である。移動通信端末１において、このような機能をユーザに選択させるための項目は階層的に構成されている。例えば、メール機能、カメラ機能、アドレス張といった機能といった上位の項目があるとすると、メール機能という上位の項目に対して、更に新規メールを作成する機能、受信したメールを閲覧する機能や、送信したメールを閲覧する機能などの下位の項目が設けられている。
【００１０】
キー入力部３は、ユーザが数字や文字などを入力したり、表示部２に表示された機能を選択するためのインターフェースである。キー入力部３は、複数のキーを備えて構成されている。ユーザは、複数のキーのうちから任意のキーを選択して押下することによって、所望の数字、文字を移動通信端末１に入力することができる。また、ユーザは、表示部２に表示されたメニューを確認しながら、任意の機能を示す項目をキー入力部３によって選択することで、移動通信端末１に任意の機能を実行させることができる。キー入力部３によってユーザによって選択された項目は、制御部６に出力される。
【００１１】
無線部４は、外部のネットワークや通信端末に対して無線通信を行う。無線部４は、外部のネットワークや通信端末から無線データを受信すると共に、制御部６によって生成された送信データを無線データとして送信する。電源部５は、移動通信端末１に搭載された種々の機器に電力を供給するよう構成されている。制御部６は、無線部４によって受信されたデータを入力すると共に、無線部４から送出させるためのデータを生成して無線部４に出力する。無線部４によって受信されたデータは、メモリ８に順次格納される。また、制御部６は、移動通信端末１に搭載された各種の機能を、後述する表示方法によって表示部２に表示させる。メモリ８は、送受信データや、制御部６によって実行された機能の履歴等を記憶するよう構成されている。制御部６は、メモリ８に記憶された過去に実行された機能に関するデータを基にして、ユーザによって新たに機能が選択されると、次に選択される可能性の高い項目を表示部２に表示する。
【００１２】
図２は、実施形態に係る移動通信端末１の概要を示す図である。移動通信端末１は、関連機能対応付け部１０、重み付け設定部１２及び次機能予測部１１を備えて構成されている。関連機能対応付け部１０は、ユーザの操作によって実行された機能と、その次に実行された機能とを対応付ける。例えば、電話をかける機能（機能５）と、電話をかけた相手の電話番号をアドレス張に登録する機能（機能１）が順次実行されれば、関連機能対応付け部１０は、機能５と機能１とを対応付ける。重み付け設定部１２は、関連機能対応付け部１０によって対応付けられた、実行された機能と次に実行された機能の組み合わせに対して、新しく実行された組み合わせほど大きい重み付け値ｙを付与する。次機能予測部１１は、ユーザによって新たにある機能が選択された場合に、実行された機能に対応付けられている次に実行された機能のうち、重み付け設定部１２により設定された重み付け値ｙが大きいものを優先的に表示部２に表示させる。このような関連機能対応付け部１０、重み付け設定部１２、及び次機能予測部１１といった機能は、ＣＰＵ７に設けられている。このような構成について更に詳細に説明する。
【００１３】
図３は、ＣＰＵ７の詳細な構成を示す図である。ＣＰＵ７は、前述したように関連機能対応付け部１０、重み付け設定部１２及び次機能予測部１１を備えて構成されている。関連機能対応付け部１０は、ユーザによって実行された機能と、その次に実行された機能とを順次対応付けて記憶していく。ここで、例えば、ユーザが、移動通信端末１に搭載されたカメラで風景を撮影し、撮影した画像にフレームを合成し、フレームが合成された画像をメールに添付して送信する、といった一連の作業を行ったとする。すると、移動通信端末１においては、ユーザの移動通信端末の操作に応じて、図４に示すように、写真を撮影する機能（機能３）が実行され、撮像された画像にフレームを合成する機能（機能４）が実行され、フレームが合成された画像をメールに添付して送信する（機能２）が順に実行される。
【００１４】
関連機能対応付け部１０は、前後に実行された機能を順次対応付けて記憶していく。図５に示すように、関連機能対応付け部１０は、この一連の実行された機能に対し、実行された機能とその次に実行された機能として、写真を撮影する機能（機能３）とフレームを合成する機能（機能４）を対応付けて記憶し、フレームを合成する機能（機能４）とメールを送信する機能（機能２）とを対応付けて記憶する。また、関連機能対応付け部１０は、図４に示すように、メールを送信する機能（機能２）の処理が完了してから、次に実行された機能（機能５）が選択されるまでの時間ｔ２を監視し、所定の時間ｔを経過しても次の機能が選択されない場合には、前に実行されたメールを送信する機能（機能２）とその後に実行された機能（機能５）との間には、関連がないものとして判断する。そして、図５に示すように、直前に選択されたメールを送信する機能（機能２）と一連の動作の終了を示す情報とを関連付けて記憶する。
【００１５】
次に、例えば、ユーザは、前述したように画像を添付したメールを送信した一連の機能を実行してから時間ｔ２の経過後に、キー入力部によって電話番号を入力して電話をかけ、その後、電話をかけた相手先の電話番号を電話帳に登録する一連の動作を行ったとする。ただし、時間ｔ２は所定の時間ｔよりも長いものとする。ここで、移動通信端末１においては、図４に示すように、メールを送信する機能（機能２）の処理が完了してから時間ｔ２経過後に、電話をかける機能（機能５）が実行され、その次に電話帳に登録する機能（機能１）が実行されたこととなる。
【００１６】
すると、関連機能対応付け部１０は、時間ｔ２経過後に実行された電話をかける機能（機能５）と、電話をかけた相手の電話番号をアドレス張に登録する機能（機能１）とを図５に示すように新たに対応付けて記憶する。そして、再びアドレス張に登録する機能（機能１）の処理が完了した後に、所定の時間ｔが経過しても次の機能が実行されない場合には、機能５と機能１までを一連の動作であると判断する。そして、直前に実行されたアドレス張に登録する機能１と動作の終了を示す情報とを関連付けて記憶する。アドレス張に登録する機能（機能１）の処理が終了してから、時間ｔ３後（ただし、時間ｔ３は時間ｔよりも長いものとする。）に次の機能５が選択されると、関連機能対応付け部１０は、再び実行された機能（機能５）とその次に実行される機能（機能１）とを新たに対応付けて記憶する。
【００１７】
このように、関連機能対応付け部１０の処理によって、図５に示す対応付け表が作成される。このように、前後に実行された機能が対応付けられたデータは、メモリ８にされ、機能が実行される度に順次更新されていく。この対応付け表には、予め設定された数Ｎの対応付けが記憶されている。なお、実行された機能と次に実行された機能との組み合わせに対して、１つずつ関連付け番号が付与されている。この関連付け番号は、後述するように重み付け設定部１２によって付与される。関連付け番号は、新しく実行されたものに最も大きい値Ｎが付与され、古くなるに従って１ずつ小さな関連付け番号が付与されている。対応付け表では、最も古い組み合わせから順に削除されながら、新しい組み合わせが記憶されていく。すなわち、対応付け表には、常に最新のＮ個の組み合わせが記憶されている。
【００１８】
重み付け設定部１２は、新しく選択された組み合わせに対して大きな重み付け値を設定するように構成されている。重み付け設定部１２は、関連付け番号付与部１３及び重み付け値算出部１４を備えている。関連付け番号付与部１３は、図５に示すように、実行された機能とその次に実行された機能との組み合わせに対し、新しく実行された組み合わせ程大きな値を付与するように構成されている。例えば、メモリ８にＮ個の組み合わせが記憶されているのであれば、最も新しく実行された機能の組み合わせにはＮが付与され、その前に実行された機能の組み合わせには（Ｎ−１）が付与され、・・・最も古く実行された機能の組み合わせには１が付与される。また、これを換言すると、関連付け番号付与部１３によって予め設定された関連付け番号１〜Ｎに対し、前後に実行された機能の組み合わせが順次図５の下方に繰り下がっていくこととなる。
【００１９】
重み付け値算出部１４は、図５に示す対応付け表のうち、実行された機能と次に実行された機能が同じである組み合わせの関連付け番号を足し合わせ、その足し合わせた値をその組み合わせの重み付け値ｙとして与える。このように、重み付け算出部１４によって設定された重み付け値ｙは、図６に示す重み付け表としてメモリ８に記憶される。例えば、先に実行された機能が１であり、その次に実行された機能が機能６である組み合わせが、図５に示す対応付け表に３個あったとする。そして、それぞれの組み合わせに付与された関連付け番号が（Ｎ−３）、（Ｎ−１０）、（Ｎ−１５）であったとすると、図６に示すように、重み付け値算出部１４は、先に実行された機能が機能１であり、次に実行された機能が機能６である組み合わせに対して重み付け値ｙ６として、（Ｎ−３）＋（Ｎ−１０）＋（Ｎ−１５）を与える。このように、重み付け値算出部１４は、過去に実行された機能の同じ組み合わせの関連付け番号を足し合わせて重み付け値ｙを算出する。ここで、関連付け番号は新しい組み合わせほど大きな値が付与されているため、重み付け値ｙは最近頻繁に実行された組み合わせになるほど、大きな重み付け値ｙが付与されることになる。なお、重み付け設定部１２の構成はこれに限定されるものではなく、新しく実行された組み合わせほど大きな重み付け値が付与されれば、他の構成としてもよい。
【００２０】
次機能予測部１１は、ユーザが次に選択すると予測される関連機能を表示部２に表示させる。次機能予測部１１は、ユーザによって新たに実行する機能が選択されると、図６に示す重み付け表を参照し、ユーザによって新たに選択された機能に対応付けられた次に実行された機能のうち、大きい重み付け値ｙが付与された次に実行された機能を表示部２に優先的に表示する。例えば、ユーザによって新たに機能１が選択されると、次機能予測部１１は、機能１に対応する次に実行された機能１〜６のうち、最も重み付け値ｙ１〜ｙ６の大きい機能を抽出して優先的に表示部２に表示する。なお、優先的に表示させる機能は、１つでもよく、また重み付け値ｙの大きいものから順に複数の機能を表示するよう構成することもできる。
【００２１】
次に、優先的に表示する項目の具体的な表示方法を説明する。図７に示すように、ユーザが機能５を選択後、機能５の処理が終了すると、次機能予測部１１は、機能５との関連性が高い機能（機能１）を優先的に表示する処理を行うものとする。この場合、図７に示すように、機能５の処理が完了すると、表示部２の上方には、機能５と関連性の高い機能と予測された項目である機能１が表示される。ユーザは、頻繁に利用する機能５を実行した後に機能１を実行するといった一連の機能を実行したい場合には、優先的に表示された機能１を選択することで、容易に一連の項目の選択を行うことができる。このように、ユーザははじめからメニューを選択して所望の項目を探していく必要がなく、頻繁に使う機能については優先的に表示された項目の中から次に利用する機能を容易に選択することができる。
【００２２】
また、次にユーザに選択されると予測される機能を表示部２に表示する方法としては、図８に示すように、ポップアップウィンドウ２ａを用いても良い。このポップアップウィンドウ２ａに、ユーザによって選択される可能性の高い項目を表示させることで、より簡単にユーザは次に実行したい機能を選択することができる。
【００２３】
このように、本実施形態に係る移動通信端末１によれば、ユーザが普段よく利用する一連の機能を前後の機能の組み合わせ毎に関連付けて記憶し、それぞれの組み合わせに重み付け値ｙを付与し、重み付け値ｙの大きい機能から優先的に表示部２に表示させることにより、ユーザの最新の使用状況に即した関連機能を表示部２に表示することができる。本実施形態では、新しく実行された機能の組み合わせになるほど大きな重み付け値ｙが設定されるため、選択された頻度のみならず、選択された時期に基づいて、次に選択すると予測される関連機能を優先的に表示部に表示することができる。これにより、ユーザは、最新の使用状況に即して表示される機能を選択することができる。例えば、過去に多く使用していた関連機能をユーザが最近利用しなくなったような場合であっても、本実施形態に係る移動通信端末によれば、以前頻繁に使っていた機能を表示させることなく、ユーザが最近頻繁に使用する機能を優先的に表示させることができる。これにより、ユーザは、最新の使用状況に即して表示された機能を瞬時に選択し、所望の機能を移動通信端末に実行させることができる。
【００２４】
なお、本実施形態の説明では、関連付け番号付与部１３によって古い組み合わせになるに従って１ずつ小さい関連付け番号を付与したが、付与される関連付け番号は、これに限定されるものではない。例えば、前後に実行された組み合わせに対して、２以上の値ずつ関連付け番号を変化させてもよい。また、前後に実行された組み合わせに対して、関連付け番号を１以下の小数ずつ変化させてもよい。また、前後の組み合わせに対する関連付け番号の差は、必ずしも新しいものから古いものに至るまで等間隔に変化するよう構成する必要はない。例えば、新たに実行された組み合わせから、古い組み合わせに至るまで、前後の組み合わせの差を徐々に増減させるようにしても本発明の効果を奏する。
【００２５】
また、本実施形態の説明では、前後の２つの連続して実行された機能について重み付け値を設定するようにしたが、重み付け値ｙを設定する組み合わせは前後に実行された２つの機能に限られない。例えば、一連の２以上の実行された組み合わせに対して重み付け値ｙを設定するように構成することでも本発明の効果を奏する。
【００２６】
なお、本発明は、上記の実施の形態に限らず、本発明の主旨に反しない限り種々の設計変更を適用することができることは勿論である。
【図面の簡単な説明】
【００２７】
【図１】本発明の実施形態に係る移動通信端末の全体構成例を示す図である。
【図２】本発明の実施形態に係る移動通信端末の概要を示す図である。
【図３】本発明の実施形態に係る移動通信端末のＣＰＵの構成例を示す図である。
【図４】移動通信端末により実施された機能を示す図である。
【図５】関連機能対応付け部によって作成される、実行された機能とその次に実行された機能との対応付けを示す表である。
【図６】重み付け設定部によって作成される、それぞれの組み合わせと重み付け値との対応を示す表である。
【図７】次に選択されると予測される機能を表示した状態の表示部の図である。
【図８】他の例による、次に選択されると予測される機能を表示した状態の表示部の図である。
【符号の説明】
【００２８】
１    移動通信端末
２    表示部
２ａ    ポップアップウィンドウ
３    キー入力部
４    無線部
５    電源部
６    制御部
８    メモリ
１０    関連機能対応付け部
１１    次機能予測部
１２    重み付け設定部
１３    関連付け番号付与部
１４    重み付け値算出部
【図１】
0005509522.tif 000002
【図２】
0005509522.tif 000003
【図３】
0005509522.tif 000004
【図４】
0005509522.tif 000005
【図５】
0005509522.tif 000006
【図６】
0005509522.tif 000007
【図７】
0005509522.tif 000008
【図８】
0005509522.tif 000009